(57)【要約】【課題】水の浸入を未然に防止する撮像装置及び外部装置を提供する。【解決手段】防水機構を有し外部装置４が装着される撮像装置２であって、前記外部装置が非防水であることを検出する検出部６と、周囲の水に関する外部情報を取得する情報取得部６と、前記検出部によって前記外部装置が非防水であることを検出した場合に、前記情報取得部により取得した情報に基づいて水浸入のおそれを判断する判断部６と、前記判断部による判断結果に基づいて特定の動作を行なう動作制御部６とを備える。【選択図】  図１
2014153498.tif 000002
【特許請求の範囲】
【請求項１】
防水機構を有し外部装置が装着される撮像装置であって、
前記外部装置が非防水であることを検出する検出部と、
周囲の水に関する外部情報を取得する情報取得部と、
前記検出部によって前記外部装置が非防水であることを検出した場合に、前記情報取得部により取得した情報に基づいて水浸入のおそれを判断する判断部と、
前記判断部による判断結果に基づいて特定の動作を行なう動作制御部と、
を備えることを特徴とする撮像装置。
【請求項２】
現在位置の測位を行なうＧＰＳを備え、
前記情報取得部は、前記外部情報として前記ＧＰＳから測位情報を取得し、
前記判断部は、前記測位情報に基づいて現在位置が水辺から所定の範囲であるか否かにより水浸入のおそれを判断することを特徴とする請求項１に記載の撮像装置。
【請求項３】
インターネットを介した通信を行なう通信制御部を備え、
前記情報取得部は、前記外部情報として前記通信制御部から天気情報を取得し、
前記判断部は、前記天気情報に基づいて降雨の有無を判断することにより水浸入のおそれを判断することを特徴とする請求項１又は請求項２に記載の撮像装置。
【請求項４】
水浸入に関する注意を促す報知部を備え、
前記動作制御部は、前記判断部により水浸入のおそれがあると判断された場合に、前記報知部により報知を行なうことを特徴とする請求項１〜請求項３の何れか一項に記載の撮像装置。
【請求項５】
水の付着を検出する水検出センサを備え、
前記情報取得部は、前記外部情報として前記水検出センサから検出結果を取得し、
前記動作制御部は、前記判断部が前記検出結果に基づいて水浸入のおそれがあると判断した場合に、前記外部装置への電源供給を停止することを特徴とする請求項１に記載の撮像装置。
【請求項６】
水浸入に関する注意を促す報知部を備え、
前記動作制御部は、更に前記報知部により警告を行なうことを特徴とする請求項５に記載の撮像装置。
【請求項７】
前記判断部が水浸入のおそれがあると判断したときの日時情報及び前記情報取得部によって取得された情報を記憶する記憶部を備えることを特徴とする請求項１〜請求項６の何れか一項に記載の撮像装置。
【請求項８】
撮像装置に着脱可能に取付けられた外部装置であって、
前記撮像装置から水に関する外部情報を取得する通信部と、
前記通信部によって取得した情報に基づいて水浸入に関する注意を促す報知を行なう報知部と、
を備えることを特徴とする外部装置。
【請求項９】
前記通信部によって取得した外部情報に基づいて、水浸入のおそれを判断する判断部を備え、
前記報知部は、前記判断部による判断結果に基づいて報知を行なうことを特徴とする請求項８に記載の外部装置。
【発明の詳細な説明】
【技術分野】
【０００１】
本発明は、撮像装置及び該撮像装置に装着される外部装置に関するものである。
【背景技術】
【０００２】
従来、カメラ本体に装着された交換レンズ内に水が浸入したことを水漏れセンサによって感知したとき、交換レンズに設けられている警告ランプを点滅させて撮影者に水の浸入を知らせるカメラシステムが知られている（例えば、特許文献１参照）。
【先行技術文献】
【特許文献】
【０００３】
【特許文献１】特開平７−２０９７２３号公報
【発明の概要】
【発明が解決しようとする課題】
【０００４】
しかし、上述のカメラシステムは交換レンズ内に水が浸入したときに警告を発するものであって水の浸入を未然に防止するものではない。
【０００５】
本発明の目的は、水の浸入を未然に防止する撮像装置及び外部装置を提供することである。
【課題を解決するための手段】
【０００６】
本発明は以下のような解決手段により上記課題を解決する。
【０００７】
本発明の撮像装置は、防水機構を有し外部装置が装着される撮像装置であって、前記外部装置が非防水であることを検出する検出部と、周囲の水に関する外部情報を取得する情報取得部と、前記検出部によって前記外部装置が非防水であることを検出した場合に、前記情報取得部により取得した情報に基づいて水浸入のおそれを判断する判断部と、前記判断部による判断結果に基づいて特定の動作を行なう動作制御部と、を備えることを特徴とする。
【０００８】
本発明の外部装置は、撮像装置に着脱可能に取付けられた外部装置であって、前記撮像装置から水に関する外部情報を取得する通信部と、前記通信部によって取得した情報に基づいて水浸入に関する注意を促す報知を行なう報知部と、を備えることを特徴とする。
【発明の効果】
【０００９】
本発明によれば、水の浸入を未然に防止することができる。
【図面の簡単な説明】
【００１０】
【図１】実施の形態に係る電子カメラ及び撮影レンズのシステム構成を示すブロック図である。
【図２】電子カメラの使用者の周囲の状況を示す図である。
【図３】実施の形態に係る電子カメラの背面液晶表示部に表示された注意情報を示す図である。
【図４】実施の形態に係る電子カメラ及び撮影レンズの他のシステム構成を示すブロック図である。
【発明を実施するための形態】
【００１１】
以下、図面を参照して、本発明の実施の形態に係る撮像装置としての電子カメラについて説明する。図１は実施の形態に係る電子カメラ２及び電子カメラ２に装着されている撮影レンズ４のシステム構成を示すブロック図である。電子カメラ２は、防水機構を備えるカメラであって、各部を統括的に制御する制御部としてのカメラ側ＭＣＵ６を備えている。カメラ側ＭＣＵ６には、ＧＰＳモジュール８、記憶部１０、水検出センサ１２、背面液晶表示部１４、電源部１６が接続されている。
【００１２】
ＧＰＳモジュール８は、ＧＰＳ衛星から受信した信号に基づいて現在位置（緯度、経度、高度）の測位を行なう。記憶部１０は、地図情報を記憶しておくための記憶領域や、カメラ側ＭＣＵ６による制御の処理結果等を記憶するための記憶領域を有している。水検出センサ１２は、水深計や湿度計等であって電子カメラ２への水浸入のおそれや、電子カメラ２が水中に入ったことを検出する。
【００１３】
背面液晶表示部１４は、電子カメラ２の筐体背面に形成されており、撮影画像や水浸入に関する注意や警告を促す画面等を表示する。電源部１６は、電子カメラ２の各部に電源の供給を行なうと共に電子カメラ２に装着されている撮影レンズ４に端子を介して電源を供給する。
【００１４】
撮影レンズ４は、防水機構を有していない、即ち非防水の撮影レンズであって、レンズ側ＭＣＵ２０を備えている。レンズ側ＭＣＵ２０にはレンズ駆動系２２が接続されている。レンズ側ＭＣＵ２０は端子を介して接続される電子カメラ２のカメラ側ＭＣＵ６からの制御信号に従ってレンズ駆動系２２を駆動させる。またレンズ側ＭＣＵ２０は、撮影レンズ４が電子カメラ２に接続された際に撮影レンズ４が防水機構を有しているか否かを示す信号を電子カメラ２に送信する。これにより電子カメラ２のカメラ側ＭＣＵ６は、撮影レンズ４の防水機構の有無を検出する。
【００１５】
次にこの実施の形態に係る電子カメラ２に装着された撮影レンズ４への水浸入のおそれに対して注意を促す報知について説明する。図２は電子カメラ２の使用者の周囲の状況を示す図である。電子カメラ２のカメラ側ＭＣＵ６は、撮影レンズ４が非防水である場合には、撮影レンズ４の装着時にレンズ側ＭＣＵ２０から受信した信号によって撮影レンズ４に非防水であることを検出する。
【００１６】
電子カメラ２のカメラ側ＭＣＵ６は、ＧＰＳモジュール８により測位した測位情報を取得する。カメラ側ＭＣＵ６は、測位情報に基づいて現在位置が水辺から所定の範囲（例えば数ｍ）内であるか否かを判断する。即ちカメラ側ＭＣＵ６は、記憶部１０に記憶されている地図情報を参照し、現在位置が地図情報における川、海、池等の水辺から所定の範囲内に入っているか否かを判断する。
【００１７】
従って図２に示すように使用者が電子カメラ２を持って水辺から所定の範囲内にいる場合には、カメラ側ＭＣＵ６は、現在位置が水辺から所定の範囲に入っていると判断する。そしてカメラ側ＭＣＵ６は、図３に示す「水辺に近いです。注意してください。防水対応レンズに交換してください。」等の水浸入の注意を促すメッセージを背面液晶表示部１４に表示させる。
【００１８】
次に電子カメラ２に水が付着した場合の処理について説明する。例えば使用者が電子カメラ２を誤って水中に落とした場合には、電子カメラ２のカメラ側ＭＣＵ６は、水検出センサ１２から検出結果を取得することにより電子カメラ２が水中に入った、即ち電子カメラ２に水が付着したことを検出する。
【００１９】
ここで、カメラ側ＭＣＵ６は、水検出センサ１２からの検出結果によって水の付着を検出した場合であってレンズ側ＭＣＵ２０から受信した信号により撮影レンズ４が非防水であることを検出している場合には、電源部１６による撮影レンズ４への電源の供給を停止させる。またカメラ側ＭＣＵ６は、背面液晶表示部１４に水中から電子カメラ２を出すように促す警告を表示させる。
【００２０】
更に、カメラ側ＭＣＵ６は、水検出センサ１２によって水の付着を検出したときの日時情報とＧＰＳモジュール８により測位した測位情報、更に水検出センサ１２が水深計である場合には水検出センサ１２によって検出した水深の情報を、記憶部１０に記憶させる。
【００２１】
本実施の形態に係る電子カメラ２によれば、防水機構を有する電子カメラ２に非防水の撮影レンズ４が装着されている状態で、水が浸入するおそれがある場合、背面液晶表示部１４に注意を促すメッセージを表示して撮影レンズ４に水が浸入する危険を報知するので、使用者は非防水の撮影レンズ４に水が浸入しないように対応することができる。
【００２２】
また、非防水の撮影レンズ４を装着した電子カメラ２が何らかの原因により水中に入った場合、撮影レンズ４側への電源供給を停止するので、撮影レンズ４に水が浸入したことにより発生する電気的なショートを防止することができる。更に電子カメラ２の背面液晶表示部１４に警告を表示して、使用者に電子カメラ２を水中から出すように警告するので、撮影レンズ４内に水が浸入する前に電子カメラ２を水中から出せば、その後も電子カメラ２の使用を継続することができる。
【００２３】
また、電子カメラ２の記憶部１０に日時情報、測位情報及び水深の情報を記憶させるので、水の浸入によって撮影レンズ４が故障した場合に、記憶部１０に記憶されている日時情報、測位情報及び水深の情報を故障原因の解析や修理等に活かすことができる。
【００２４】
なお、上述の実施の形態に係る電子カメラ２においては、ＧＰＳモジュール８から取得した測位情報によって水浸入のおそれを判断しているが、これに限らず降雨の有無によって水浸入のおそれを判断してもよい。この場合、電子カメラ２に備えられている図示しない通信制御部によりインターネットを介して現在位置の天気及び湿度の情報を含んだ天気情報を取得する。そして図２に示すように天気情報によって現在位置において多量の降雨があると判断した場合に水浸入の注意を促す画面を背面液晶表示部１４に表示させる。また、カメラ側ＭＣＵ６は、ＧＰＳモジュール８から取得した測位情報と、通信制御部によりインターネットを介して取得した天気情報との何れかに基づいて水浸入のおそれを判断するようにしてもよい。
【００２５】
また、上述の実施の形態に係る電子カメラ２においては、背面液晶表示部１４に表示させるメッセージによって水浸入の注意や警告を行なったが、これに限らずＡＦ補助光等の点滅や、背面液晶表示部１４に所定のマークを点滅表示させることによって水浸入の注意や警告を行なってもよい。
【００２６】
また、図４に示すように撮影レンズ４にＬＥＤまたは液晶表示部からなる報知部２６を備え、水浸入のおそれがある場合にＬＥＤを点滅させる、または液晶表示部にメッセージを表示することにより水浸入に対する注意を使用者に報知してもよい。この場合には、カメラ側ＭＣＵ６が水浸入のおそれを判断して判断結果を撮影レンズ４のレンズ側ＭＣＵ２０に送信し、レンズ側ＭＣＵ２０が判断結果に基づいて報知部２６による報知を行なってもよい。あるいはカメラ側ＭＣＵ６が測位情報等をレンズ側ＭＣＵ２０に送信し、レンズ側ＭＣＵ２０が測位情報等に基づいて水浸入のおそれを判断し、報知部２６による報知を行なってもよい。
【００２７】
また、上述の実施の形態においては防水機構を有する電子カメラ２に非防水の撮影レンズ４を装着した場合について説明したが、非防水の電子カメラに防水機構を有する撮影レンズを装着した場合において、測位情報や天気情報等に基づいて水浸入のおそれがあると判断したときに注意を促すメッセージを背面液晶表示部に表示することにより報知を行なってもよい。また撮影レンズに液晶表示部やＬＥＤ等からなる報知部を設け、電子カメラのカメラ側ＭＣＵが水浸入のおそれを判断し、その判断結果を撮影レンズのレンズ側ＭＣＵに送信し、レンズ側ＭＣＵが判断結果に基づいて報知部による報知を行なうようにしてもよい。あるいはカメラ側ＭＣＵが測位情報等をレンズ側ＭＣＵに送信し、レンズ側ＭＣＵが測位情報等に基づいて水浸入のおそれを判断し、報知部による報知を行なうようにしてもよい。このようにすれば水の浸入により電子カメラが故障するのを防止することができる。
【００２８】
また、上述の実施の形態においては電子カメラ２に装着する外部装置として撮影レンズ４を例に説明したが、これに限らず外部装置は、フラッシュ装置、マイク、バッテリーパック等であってもよい。
【符号の説明】
【００２９】
２…電子カメラ、４…撮影レンズ、６…カメラ側ＭＣＵ、８…ＧＰＳモジュール、１０…記憶部、１２…水検出センサ、１４…背面液晶表示部、１６…電源部、２０…レンズ側ＭＣＵ。
【図１】
2014153498.tif 000003
【図２】
2014153498.tif 000004
【図３】
2014153498.tif 000005
【図４】
2014153498.tif 000006